(57)【要約】【課題】従来の木造建築工事用遣り方は木製の水杭および水貫で構成するものである。しかし、使用する木材の加工は粗雑で変形も見過ごせず精度は低いのみならず用具は使い捨てであり森林資源保護の見地からも問題である。さらに水貫の取り付けは二人以上の作業員が必要で効率が悪い。この考案は繰り返し使用ができ精度が高く一人でも設営が可能な遣り方用具を提供することを課題とする。【解決手段】従来の水杭に替えて鋼製杭を、水貫に替えてアルミ製の定規レールを使用する。重力を利用して水平を獲得する機構を組み込んだ水平レール受け金具をそれぞれ打ち込んだ鋼製杭に取り付け基準点にあわせ固定して行くと各水平レール受け金具は一水平面を構成する。各レール座に定規レールを載せ固定する。定規レール上にスケールを置き水糸受けを固定し水糸を張る。以上の作業は一人ででき、用具はすべて再利用できる。【選択図】  図１
0003127677.tif 000002
【実用新案登録請求の範囲】
【請求項１】
下部を円錐状に研磨したステンレス製杭先とし上部を鋼製蓋で補強した杭頭とし杭頭下部に汎用穴径３ミリメートルを持つ外径２７．２ミリメートル長さ１．２メートルの鋼管製の鋼製杭。上部に先端を円錐状としたステンレス製の支点ピンを持ち中間部にレール座、その下に固定用ボルトと一体のボルト側底面を球面としたツマミと同ボルト上を回転移動するツマミ側底面を球面としたゴムワッシャーと一体の固定リングおよび下部に錘を取り付けるための錘掛けを持つブラケット、前記支点ピンを受ける上面をすり鉢状にしたステンレス製支点受けを上部先端に、下部に前記固定用ボルトを受けるナットを持ち、前記鋼製杭上部から差込み、同鋼製杭に固定するための挟み板、挟み板を移動させるための締め付けボルトと一体の締め付けハンドル、同挟み板を平行移動させるためのガイドピン及びガイド穴を持つブラケット受けとからなる鋼板製の水平レール受け金具。下面に前記水平レール受け金具のレール座にレールを取り付けるレール止めボルトが移動できるボルト溝、上面にレール取り付け後にスケールをはめ込むためのスケール溝、側面に角接続用のジョイント溝を持ち一方端部に直接続用差込代を持つアルミ製定規レール。一方を前記ジョイント溝に他方をレール端部に差し込み角接続するためのプラスティック製ジョイント。前記ボルト溝内を移動することができかつ回転しない角型のボルト頭を持つレール止めボルトと止めナット２対。前記スケール溝にはめ込む軟質プラスティック製のスケール。スケール取り付け後定規レール上部より本体を広げ差し込み前記ジョイント溝に固定でき中央に水糸をスケール面に密着させるための欠き込みを持ち外側に同水糸を差込み固定するためのＶ型溝を持つ水糸ピンと一体の透明軟質プラスティック製の水糸受けからなる木造建築工事用遣り方用具。
【考案の詳細な説明】
【技術分野】
【０００１】この考案は木造建築工事用遣り方用具の形状に関する。
【背景技術】
【０００２】従来の木造建築工事用遣り方は水杭と呼ばれる木製角材の先端を斜めに削ったものを複数地面に打ち込み水準測量により基準点を標しこれに水貫と呼ばれる木製の板材を釘で止め水平面を構成するものであり基礎工事のための位置、高さ等の基準となるものである。
【考案の開示】
【考案が解決しようとする課題】
【０００３】しかしながら、以上の技術によれば使用する木材の加工は粗雑で乾燥などによる変形も見過ごせず高い精度は得られないのみならず用具は使い捨てであり森林資源保護の見地からも問題である。さらに水貫材の取り付けには二人以上の作業員が必要で効率が悪い。そこでこの考案は繰り返し使用ができ精度が高く一人でも設営が可能な遣り方用具を提供することを課題とする。
【課題を解決するための手段】
【０００４】下部を円錐状に研磨したステンレス製杭先とし上部を鋼製蓋で補強した杭頭とし杭頭下部に汎用穴径３ミリメートルを持つ外径２７．２ミリメートル長さ１．２メートルの鋼管製の鋼製杭。上部に先端を円錐状としたステンレス製の支点ピンを持ち中間部にレール座、その下に固定用ボルトと一体のボルト側底面を球面としたツマミと同ボルト上を回転移動するツマミ側底面を球面としたゴムワッシャーと一体の固定リングおよび下部に錘を取り付けるための錘掛けを持つブラケット、前記支点ピンを受ける上面をすり鉢状にしたステンレス製支点受けを上部先端に、下部に前記固定用ボルトを受けるナットを持ち、前記鋼製杭上部から差込み、同鋼製杭に固定するための挟み板、挟み板を移動させるための締め付けボルトと一体の締め付けハンドル、同挟み板を平行移動させるためのガイドピン及びガイド穴を持つブラケット受けとからなる鋼板製の水平レール受け金具。下面に前記水平レール受け金具のレール座にレールを取り付けるレール止めボルトが移動できるボルト溝、上面にレール取り付け後にスケールをはめ込むためのスケール溝、側面に角接続用のジョイント溝を持ち一方端部に直接続用差込代を持つアルミ製定規レール。一方を前記ジョイント溝に他方をレール端部に差し込み角接続するためのプラスティック製ジョイント。前記ボルト溝内を移動することができかつ回転しない角型のボルト頭を持つレール止めボルトと止めナット２対。前記スケール溝にはめ込む軟質プラスティック製のスケール。スケール取り付け後定規レール上部より本体を広げ差し込み前記ジョイント溝に固定でき中央に水糸をスケール面に密着させるための欠き込みを持ち外側に同水糸を差込み固定するためのＶ型溝を持つ水糸ピンと一体の透明軟質プラスティック製の水糸受けからなる木造建築工事用遣り方用具である。
【考案の効果】
【０００５】第一考案は従来の水杭に替えて鋼管製の鋼製杭を、水貫に替えてアルミ製の定規レールを使用する。杭は必ずしも垂直に打ち込まれずそれぞれの杭の打ち込み角度には若干の差異があるが従来は木製水貫材のたわみ等の変形を利用してその差異を解消していた。しかしアルミ製の定規レールは変形しないため鋼製杭に取り付ける際に水平であることが必要である。そこで錘を下げることにより重力を利用して水平を獲得する機構を水平レール受け金具に組み込んだ。それぞれ打ち込んだ鋼製杭に取り付けた水平レール受け金具を水盛り缶等利用により基準点にあわせ固定して行くと各水平レール受け金具は一水平面を構成する。固定された水平レール受け金具のレール座上に定規レールを接続しながら載せ前後位置を調整した後固定する。固定した定規レール上に基準点を決め同点を基準にスケールをはめ込み必要個所に水糸受けを固定し水糸を張る。以上の作業は一人で出来、用具はすべて再利用できる。
【考案を実施するための最良の形態】
【０００６】まず予定建物位置より０．９メートルほど離し約１．８２メートル間隔で鋼製杭１を打ち込んで行きそれぞれに水平レール受け金具２を取り付け仮止めする。次に予定建物の中心近くに水盛り缶等を設置する。錘掛け２０に錘を下げブラケット受け３とブラケット４が支点でのみ接触するように固定用ボルト８および固定リング９を緩めておき水平を保ちながら水盛り基準面まで移動し締め付けハンドル１５で固定する。さらに固定用ボルト８をブラケット４に接触するまでねじ込んで行き固定リング９で固定する。すべての鋼製杭１に同様に水平レール受け金具２を取り付けた後、定規レール１６を接続しながらそれぞれのレール座１７に載せて前後位置を調整した後レール止めボルト１８で固定する。固定した定規レール１６上に基準点を決め同点を基準にスケール１９を置いて行き必要個所に水糸受け２１を固定し水糸を張る。
【図面の簡単な説明】
【０００７】
【図１】この考案の概要を示す斜視図である。
【図２】この考案の具体的な形状を示す図面である。
【図３】この考案の一実施形態を示す図面である。
【符号の説明】
【０００８】１  鋼製杭    ２  水平レール受け金具    ３  ブラケット受け  ４  ブラケット  ５  支点ピン  ６  支点受け  ７  支点  ８  固定用ボルト  ９  ゴムワッシャー  １０  固定リング  １１  ナット  １２  ガイドピン  １３  挟み板  １４  締め付けボルト  １５  締め付けハンドル  １６  定規レール  １７  レール座  １８  レール止めボルト  １９  スケール  ２０  錘掛け  ２１  水糸受け  ２２水糸ピン
【図１】
0003127677.tif 000003
【図２】
0003127677.tif 000004
【図３】
0003127677.tif 000005
【手続補正書】
【提出日】平成17年12月13日(2005.12.13)
【手続補正２】
【補正対象書類名】実用新案登録請求の範囲
【補正対象項目名】全文
【補正方法】変更
【補正の内容】
【実用新案登録請求の範囲】
【請求項１】
（１）下部を円錐状に研磨したステンレス製杭先とし上部を鋼製蓋で補強した杭頭とし杭頭下部に汎用穴径３ミリメートルを持つ外径２７．２ミリメートル長さ１．２メートルの鋼管製の鋼製杭、（２）上部に先端を円錐状としたステンレス製の支点ピンを持ち中間部にレール座、その下に固定用ボルトと一体のボルト側底面を球面としたツマミと同ボルト上を回転移動するツマミ側底面を球面としたゴムワッシャーと一体の固定リングおよび下部に錘を取り付けるための錘掛けを持つブラケット、前記支点ピンを受ける上面をすり鉢状にしたステンレス製支点受けを上部先端に、下部に前記固定用ボルトを受けるナットを持ち、前記鋼製杭上部から差込み、同鋼製杭に固定するための挟み板、挟み板を移動させるための締め付けボルトと一体の締め付けハンドル、同挟み板を平行移動させるためのガイドピン及びガイド穴を持つブラケット受けとからなる鋼板製の水平レール受け金具、（３）下面に前記水平レール受け金具のレール座にレールを取り付けるレール止めボルトが移動できるボルト溝、上面にレール取り付け後にスケールをはめ込むためのスケール溝、側面に角接続用のジョイント溝を持ち一方端部に直接続用差込代を持つアルミ製定規レール、（４）一方を前記ジョイント溝に他方をレール端部に差し込み角接続するためのプラスティック製ジョイント、（５）前記ボルト溝内を移動することができかつ回転しない角型のボルト頭を持つレール止めボルトと止めナット２対、（６）前記スケール溝にはめ込む軟質プラスティック製のスケール、（７）スケール取り付け後定規レール上部より本体を広げ差し込み前記ジョイント溝に固定でき中央に水糸をスケール面に密着させるための欠き込みを持ち外側に同水糸を差込み固定するためのＶ型溝を持つ水糸ピンと一体の透明軟質プラスティック製の水糸受け、以上からなる木造建築工事用遣り方用具。
【手続補正３】
【補正対象書類名】明細書
【補正対象項目名】０００４
【補正方法】変更
【補正の内容】
【０００４】（１）下部を円錐状に研磨したステンレス製杭先とし上部を鋼製蓋で補強した杭頭とし杭頭下部に汎用穴径３ミリメートルを持つ外径２７．２ミリメートル長さ１．２メートルの鋼管製の鋼製杭、（２）上部に先端を円錐状としたステンレス製の支点ピンを持ち中間部にレール座、その下に固定用ボルトと一体のボルト側底面を球面としたツマミと同ボルト上を回転移動するツマミ側底面を球面としたゴムワッシャーと一体の固定リングおよび下部に錘を取り付けるための錘掛けを持つブラケット、前記支点ピンを受ける上面をすり鉢状にしたステンレス製支点受けを上部先端に、下部に前記固定用ボルトを受けるナットを持ち、前記鋼製杭上部から差込み、同鋼製杭に固定するための挟み板、挟み板を移動させるための締め付けボルトと一体の締め付けハンドル、同挟み板を平行移動させるためのガイドピン及びガイド穴を持つブラケット受けとからなる鋼板製の水平レール受け金具、（３）下面に前記水平レール受け金具のレール座にレールを取り付けるレール止めボルトが移動できるボルト溝、上面にレール取り付け後にスケールをはめ込むためのスケール溝、側面に角接続用のジョイント溝を持ち一方端部に直接続用差込代を持つアルミ製定規レール、（４）一方を前記ジョイント溝に他方をレール端部に差し込み角接続するためのプラスティック製ジョイント、（５）前記ボルト溝内を移動することができかつ回転しない角型のボルト頭を持つレール止めボルトと止めナット２対、（６）前記スケール溝にはめ込む軟質プラスティック製のスケール、（７）スケール取り付け後定規レール上部より本体を広げ差し込み前記ジョイント溝に固定でき中央に水糸をスケール面に密着させるための欠き込みを持ち外側に同水糸を差込み固定するためのＶ型溝を持つ水糸ピンと一体の透明軟質プラスティック製の水糸受け、以上からなる木造建築工事用遣り方用具である。
【手続補正４】
【補正対象書類名】明細書
【補正対象項目名】０００６
【補正方法】変更
【補正の内容】
【０００６】まず予定建物位置より０．９メートルほど離し約１．８２メートル間隔で鋼製杭（１）を打ち込んで行きそれぞれに水平レール受け金具（２）を取り付け仮止めする。次に予定建物の中心近くに水盛り缶等を設置する。錘掛け（２）−１５に錘を下げブラケット受け（２）−１とブラケット（２）−２が支点（２）−５でのみ接触するように固定用ボルト（２）−６および固定リング（２）−７を緩めておき水平を保ちながら水盛り基準面まで移動し締め付けハンドル（２）−１３で固定する。さらに固定用ボルト（２）−６をブラケット（２）−２に接触するまでねじ込んで行き固定リング（２）−７で固定する。すべての鋼製杭（１）に同様に水平レール受け金具（２）を取り付けた後、定規レール（３）を接続しながらそれぞれのレール座（２）−１４に載せて前後位置を調整した後レール止めボルト（５）で固定する。固定した定規レール（３）上に基準点を決め同点を基準にスケール（６）を置いて行き必要個所に水糸受け（７）を固定し水糸を張る。
【手続補正５】
【補正対象書類名】明細書
【補正対象項目名】０００８
【補正方法】変更
【補正の内容】
【０００８】（１）鋼製杭  （２）水平レール受け金具  （２）−１ブラケット受け  （２）−２ブラケット  （２）−３支点ピン  （２）−４支点受け  （２）−５支点  （２）−６固定用ボルト  （２）−７ゴムワッシャー  （２）−８固定リング  （２）−９ナット  （２）−１０ガイドピン  （２）−１１挟み板  （２）−１２締め付けボルト  （２）−１３締め付けハンドル  （３）定規レール  （２）−１４レール座  （５）レール止めボルト  （６）スケール  （２）−１５錘掛け  （７）水糸受け  （７）−１水糸ピン
【手続補正６】
【補正対象書類名】図面
【補正対象項目名】全図
【補正方法】変更
【補正の内容】
【図１】
0003127677.tif 000006
【図２】
0003127677.tif 000007
【図３】
0003127677.tif 000008